(57)【要約】【課題】  使用者の操作回数を減少させ、必要なジョブ処理機能に係る機能動作部のみ復帰させることができるようにする。【解決手段】  機能動作部３〜１３は、装置のジョブ処理機能を実現するため動作する。省電力モード制御部１５は、機能動作部３〜１３を省電力モードに移行制御する一方、省電力モードから通常モードに復帰制御する。第１の指示入力部３ｃ、９ａは、何れかの機能動作部３〜１３を復帰させる第１の起動指示を受け付ける。第２の指示入力部７ａは、第１の起動指示３ｃ、９ａによって復帰させた機能動作部３〜１３に続き、ジョブ処理機能を実現させる機能動作部３〜１３を復帰させる第２の起動指示を受け付ける。復帰制御部１７は、第１の起動指示が入力されたとき、対応する機能動作部を復帰させ、第２の起動指示が入力されたとき、対応する機能動作を復帰させる。【選択図】  図１
2011029745.tif 000002
【特許請求の範囲】
【請求項１】
画像形成装置が搭載するジョブ処理機能を実現するため動作する複数の機能動作部と、
個々の前記機能動作部に対する電源供給を制限して省電力モードに移行制御するとともに、電源を供給して前記省電力モードから通常モードに復帰制御する省電力モード制御部と、
何れかの前記機能動作部を前記省電力モードから復帰させる第１の起動指示を受け付ける第１の指示入力部と、
前記第１の起動指示によって復帰させた前記機能動作部に続き、前記ジョブ処理機能を実現させる前記機能動作部を前記省電力モードから復帰させる第２の起動指示を受け付ける第２の指示入力部と、
前記第１の起動指示が入力されたとき、これに対応付けられた前記機能動作部を前記省電力モードから復帰するよう前記省電力モード制御部を制御し、前記第２の起動指示が入力されたとき、これに対応付けられた前記機能動作を復帰するよう前記省電力モード制御部を制御する復帰制御部と、
を具備することを特徴とする省電力モード復帰制御装置。
【請求項２】
前記復帰制御部は、前記第１の起動指示に基づき少なくとも操作に係る前記機能動作部が復帰するよう前記省電力モード制御部を制御する請求項１記載の省電力モード復帰制御装置。
【請求項３】
前記第２の指示入力部は、操作に係る前記機能動作部である請求項２記載の省電力モード復帰制御装置。
【請求項４】
前記ジョブ処理機能は、スキャナ処理機能、複写処理機能、プリント処理機能、ファクシミリ通信処理機能、データ記憶処理機能、電子メール通信処理機能又はこれらの組合せであり、前記機能動作部はそれらのジョブ処理機能を実現するものである請求項２又は３記載の省電力モード復帰制御装置。
【請求項５】
前記第１の指示入力部は、前記スキャナ処理機能用の原稿セット検出部、前記複写処理機能用の用紙セット検出部、前記プリント処理機能用のデータ入力検出部、前記ファクシミリ通信処理機能用の受信検出部、前記電子メール通信処理機能用の受信検出部若しくはこれらの組合せ、又は電源投入検出部である請求項４記載の省電力モード復帰制御装置。
【請求項６】
前記第２の指示入力部は、前記スキャナ処理機能、前記複写処理機能、前記プリント処理機能、前記ファクシミリ通信処理機能、前記データ記憶処理機能、前記電子メール通信処理機能又はこれらの組合せを復帰させる操作表示に係る前記機能動作部である請求項２〜５いずれか１記載の省電力モード復帰制御装置。
【請求項７】
前記請求項１〜６いずれか１記載の省電力モード復帰制御装置を有する画像形成装置。
【請求項８】
画像形成装置が搭載するジョブ処理機能を実現するため動作する複数の機能動作部であって、電源供給を制限して省電力モードに移行制御された個々の前記機能動作部に対し、何れかの前記機能動作部を前記省電力モードから復帰させる第１の起動指示を受け付ける第１の指示入力処理と、
前記第１の起動指示に基づき、これに対応付けられた前記機能動作部を前記省電力モードから復帰制御する第１の復帰制御処理と、
前記第１の起動指示によって復帰させた前記機能動作部に続き、前記ジョブ処理機能を実現させる前記機能動作部を前記省電力モードから復帰させる第２の起動指示を受け付ける第２の指示入力処理と、
前記第２の起動指示に基づき、これに対応付けられた前記機能動作を前記省電力モードから復帰制御する第２の復帰制御処理と、
を具備することを特徴とする省電力モード復帰制御方法。
【請求項９】
前記第１の復帰制御処理は、前記第１の起動指示に基づき少なくとも操作に係る前記機能動作部を復帰制御する請求項８記載の省電力モード復帰制御方法。
【請求項１０】
前記第２の指示入力処理は、操作に係る前記機能動作部からの入力である請求項９記載の省電力モード復帰制御方法。
【請求項１１】
前記ジョブ処理機能は、スキャナ処理機能、複写処理機能、プリント処理機能、ファクシミリ通信処理機能、データ記憶処理機能、電子メール通信処理機能、又はこれらの組合せであり、前記機能動作部はそれらのジョブ処理機能を実現するものである請求項９又は１０記載の省電力モード復帰制御方法。
【請求項１２】
前記第１の指示入力処理は、前記スキャナ処理機能用の原稿セット検出処理、前記複写処理機能用の用紙セット検出処理、前記プリント処理機能用のデータ入力検出処理、前記ファクシミリ通信処理機能用の受信検出処理、前記電子メール通信処理機能用の受信検出処理若しくはこれらの組合せ、又は電源投入検出処理である請求項１１記載の省電力モード復帰制御方法。
【請求項１３】
前記第２の指示入力処理は、表示操作に係る前記機能動作部から、前記スキャナ処理機能、前記複写処理機能、前記プリント処理機能、前記ファクシミリ通信処理機能、前記データ記憶処理機能、前記電子メール通信処理機能又はこれらの組合せを復帰させる前記第２の起動指示を受け付ける請求項９〜１２いずれか１記載の省電力モード復帰制御方法。
【発明の詳細な説明】
【技術分野】
【０００１】
本発明は省電力モード復帰制御装置、画像形成装置および省電力モード復帰制御方法に係り、省電力モードに移行させた機器を省電力モードから復帰させる省電力モード復帰制御装置、およびこれを搭載した複写機、ファクシミリ機、複合機（ＭＦＰ：Multi Function Peripheral）等の画像形成装置および省電力モード復帰制御方法の改良に関する。
【背景技術】
【０００２】
従来、この種の画像形成装置、例えば複合機では、原稿から画像データを読み取り、この読み取った画像データを用紙に印刷（印字）したり、外部へファクシミリ送信したり、記憶部に格納する一方、ネットワークを介して外部のコンピュータから送信された画像データをプリントする等の複数の動作機能が搭載されている。
【０００３】
しかも、複合機においては、起動に最低限必要な部分以外への電源供給を遮断して電力エネルギーを節約する省電力モードへ移行する機能が搭載しているうえ、省電力モードから通常モードへの復帰動作を簡素化する工夫がなされている。
【０００４】
例えば、特開２００４−２２２２３４号公報（特許文献１）の画像形成装置もこの種の提案である。
【０００５】
この特許文献１は、電源ボタンの押下に加えて、機能毎に設けたコピーボタン、ドキュメントボックスボタン、ファックスボタン、プリンターボタン又はスキャナーボタンを選択押下することにより、使用者が希望する機能部分に対してスリープ状態から電源復帰を行えるようにして消費電力を抑えたものである。
【先行技術文献】
【特許文献】
【０００６】
【特許文献１】特開２００４−２２２２２３４号公報
【発明の概要】
【発明が解決しようとする課題】
【０００７】
しかしながら、上述した画像形成装置においては、必要な部分にだけ電源を供給してスリープ状態から復帰させるとき、電源ボタンおよび機能ボタンを連続して２回押下する必要があり、たとえパネル操作が２回であっても、種々の操作表示項目や操作ボタンのある中から、求められるボタンを２回操作することになり、操作が煩雑で、改善の余地がある。
【０００８】
そこで、本発明者は、画像形成装置の諸動作を鋭意観察検討した結果、画像形成装置において種々の動作機能を実行する場合、全ての動作機能を通常モードに復帰させる必要がないうえ、例えば用紙が給紙カセットにセットされると、操作部や印刷部の起動が必要であるというように、ある動作機能の実行に続いて実行される動作機能も限定されている点に着目し、本発明を完成させた。
【０００９】
本発明はそのような課題を解決するためになされたもので、使用者が必要とする機能動作部を省電力モードから復帰させるとき、使用者の操作を減少させて操作性を向上させることが容易な省電力モード復帰制御装置、画像形成装置および省電力モード復帰制御方法の提供を目的とする。
【課題を解決するための手段】
【００１０】
そのような課題を解決するために本発明の請求項１に係る省電力モード復帰制御装置は、画像形成装置に搭載するジョブ処理機能を実現するため動作する複数の機能動作部と、個々の機能動作部に対する電源供給を制限して省電力モードに移行制御するとともに、電源を供給して前記省電力モードから通常モードに復帰制御する省電力モード制御部と、何れかの機能動作部を省電力モードから復帰させる第１の起動指示を受け付ける第１の指示入力部と、その第１の起動指示によって復帰させた機能動作部に続き、それらジョブ処理機能を実現させる機能動作部を省電力モードから復帰させる第２の起動指示を受け付ける第２の指示入力部と、その第１の起動指示が入力されたとき、これに対応付けられた機能動作部を省電力モードから復帰するよう省電力モード制御部を制御し、その第２の起動指示が入力されたとき、これに対応付けられた機能動作を復帰するよう省電力モード制御部を制御する復帰制御部とを具備している。
【００１１】
本発明の請求項２に係る省電力モード復帰制御装置は、上記復帰制御部が、その第１の起動指示に基づき少なくとも操作に係る機能動作部が復帰するよう省電力モード制御部を制御する構成を有している。
【００１２】
本発明の請求項３に係る省電力モード復帰制御装置は、上記第２の指示入力部が、操作に係る機能動作部である構成を有している。
【００１３】
本発明の請求項４に係る省電力モード復帰制御装置は、上記ジョブ処理機能が、それらスキャナ処理機能、複写処理機能、プリント処理機能、ファクシミリ通信処理機能、データ記憶処理機能、電子メール通信処理機能又はこれらの組合せであり、その機能動作部がそれらのジョブ処理機能を実現する構成を有している。
【００１４】
本発明の請求項５に係る省電力モード復帰制御装置は、上記第１の指示入力部が、スキャナ処理機能用の原稿セット検出部、複写処理機能用の用紙セット検出部、プリント処理機能用のデータ入力検出部、ファクシミリ通信処理機能用の受信検出部、電子メール通信処理機能用の受信検出部若しくはこれらの組合せ、又は主電源投入検出部である構成を有している。
【００１５】
本発明の請求項６に係る省電力モード復帰制御装置は、上記第２の指示入力部が、それらスキャナ処理機能、複写処理機能、プリント処理機能、ファクシミリ通信処理機能、データ記憶処理機能、電子メール通信処理機能又はこれらの組合せを復帰させる操作表示に係る機能動作部である構成を有している。
【００１６】
本発明の請求項７に係る画像形成装置は、上記請求項１〜６いずれか１記載の省電力モード復帰制御装置を有して構成されている。
【００１７】
本発明の請求項８に係る省電力モード復帰制御方法は、画像形成装置が搭載するジョブ処理機能を実現するため動作する複数の機能動作部であって、電源供給を制限して省電力モードに移行制御された個々の機能動作部に対し、何れかの機能動作部を省電力モードから復帰させる第１の起動指示を受け付ける第１の指示入力処理と、その第１の起動指示に基づき、これに対応付けられた機能動作部を省電力モードから復帰制御する第１の復帰制御処理と、その第１の起動指示によって復帰させた機能動作部に続き、そのジョブ処理機能を実現させる機能動作部を省電力モードから復帰させる第２の起動指示を受け付ける第２の指示入力処理と、その第２の起動指示に基づき、これに対応付けられた機能動作を省電力モードから復帰制御する第２の復帰制御処理とを具備している。
【００１８】
本発明の請求項９に係る省電力モード復帰制御方法は、上記第１の復帰制御処理が、その第１の起動指示に基づき少なくとも操作に係る機能動作部を復帰制御する構成を有している。
【００１９】
本発明の請求項１０に係る省電力モード復帰制御方法は、上記第２の指示入力処理が、操作に係る前記機能動作部からの入力である構成を有している。
【００２０】
本発明の請求項１１に係る省電力モード復帰制御方法は、上記ジョブ処理機能が、それらスキャナ処理機能、複写処理機能、プリント処理機能、ファクシミリ通信処理機能、データ記憶処理機能、電子メール通信処理機能、又はこれらの組合せであり、その機能動作部はそれらのジョブ処理機能を実現する構成を有している。
【００２１】
本発明の請求項１２に係る省電力モード復帰制御方法は、上記第１の指示入力処理が、スキャナ処理機能用の原稿セット検出処理、複写処理機能用の用紙セット検出処理、プリント処理機能用のデータ入力検出処理、ファクシミリ通信処理機能用の受信検出処理、電子メール通信処理機能用の受信検出処理若しくはこれらの組合せ、又は主電源投入検出処理である構成を有している。
【００２２】
本発明の請求項１３に係る省電力モード復帰制御方法は、上記第２の指示入力処理が、操作表示に係る機能動作部から、それらスキャナ処理機能、複写処理機能、プリント処理機能、ファクシミリ通信処理機能、データ記憶処理機能、電子メール通信処理機能又はこれらの組合せを復帰させる第２の起動指示を受け付ける構成を有している。
【発明の効果】
【００２３】
このような本発明の請求項１、８に係る省電力モード復帰制御装置および省電力モード復帰制御方法では、省電力モードに移行した個々の機能動作部に対し、第１の起動指示に基づきこれに対応付けられた一部の機能動作部を省電力モードから復帰させ、復帰動作させた機能動作部に続き、ジョブ処理機能を実現させる機能動作部を省電力モードから復帰させる第２の起動指示を入力し、これに対応付けられた機能動作部を省電力モードから復帰させるから、種々の機能動作部を省電力モードから復帰させるとき、使用者の操作を減少させて操作性を向上させることが容易であるうえ、使用者に必要なジョブ処理機能に係る機能動作部のみ復帰させることが可能である。
【００２４】
本発明の請求項２、９に係る省電力モード復帰制御装置および省電力モード復帰制御方法では、その第１の起動指示に基づき少なくとも操作に係る機能動作部を復帰させるから、第１の起動指示によって復帰動作させた機能動作部に続く機能動作部を起動させる第２の起動指示を入力させ易い。
【００２５】
本発明の請求項３、１０に係る省電力モード復帰制御装置および省電力モード復帰制御方法では、その第２の起動入力を操作に係る機能動作部から入力するから、使用者が第２の起動入力を入力操作し易い。
【００２６】
本発明の請求項４、１１に係る省電力モード復帰制御方法では、ジョブ処理機能として、スキャナ処理機能、複写処理機能、プリント処理機能、ファクシミリ通信処理機能、データ記憶処理機能、電子メール通信処理機能、又はこれらの組合せの何れにも対応可能である。
【００２７】
本発明の請求項５、１２に係る省電力モード復帰制御装置および省電力モード復帰制御方法では、スキャナ処理機能用の原稿セット検出処理、複写処理機能用の用紙セット検出処理、プリント処理機能用のデータ入力検出処理、ファクシミリ通信処理機能用の受信検出処理、電子メール通信処理機能用の受信検出処理若しくはこれらの組合せ又は主電源投入検出処理において、第１の起動入力に基づく第１の復帰処理が容易である。
【００２８】
本発明の請求項６、１３に係る省電力モード復帰制御装置および省電力モード復帰制御方法では、それらスキャナ処理機能、複写処理機能、プリント処理機能、ファクシミリ通信処理機能、データ記憶処理機能、電子メール通信処理機能又はこれらの組合せの何れにおいても、第２の起動入力に基づく第２の復帰処理が可能である。
【図面の簡単な説明】
【００２９】
【図１】本発明に係る省電力モード復帰制御装置を画像形成装置とともに実施の形態を示す概略ブロック図である。
【図２】本発明に係る画像形成装置の内部構成を説明する概略構成図である。
【図３】本発明に係る省電力モード復帰制御装置における起動情報テーブルを説明する図である。
【図４】本発明に係る画像形成装置の操作パネル部を説明する図である。
【図５】本発明に係る省電力モード復帰制御装置の動作を画像形成装置の動作とともに説明するフローチャートである。
【図６】本発明に係る省電力モード復帰制御装置の動作を画像形成装置の動作とともに説明するフローチャート（図５から連続）である。
【発明を実施するための形態】
【００３０】
以下、本発明に係る省電力モード復帰制御装置、画像形成装置および省電力モード復帰制御方法の実施の形態を図面を参照して説明する。なお、本発明に係る省電力モード復帰制御装置および省電力モード復帰制御方法は本発明に係る画像形成装置を説明する過程で説明する。
【００３１】
図１は本発明に係る画像形成装置としての複合機の構成を示す概略ブロック図であり、本発明に係る省電力モード復帰制御装置を搭載し本発明の省電力モード復帰制御方法を実施するものである。
【００３２】
図１において、複合機Ａは、主制御部１を中心としてこれに接続された画像読取部３、記憶部５、操作パネル部７、印刷部９、ファクシミリ送受信部１１、データ送受信部１３、省電力モード制御部１５および復帰制御部１７を有して構成された画像形成装置である。
【００３３】
それら画像読取部３、記憶部５、操作パネル部７、印刷部９、ファクシミリ送受信部１１およびデータ送受信部１３は、ジョブ処理機能としてのスキャナ処理機能、複写処理機能、プリント処理機能、ファクシミリ通信処理機能、データ記憶処理機能、電子メール通信処理機能およびこれらの組合せを実現する個々の機能動作部を形成している。
【００３４】
複合機Ａは、これら以外にも構成要素を有するが、本発明の要部ではないので説明および図示を省略する。なお、主制御部１の機能については後述する。
【００３５】
画像読取部３は、主制御部１の制御の下、原稿から画像を光学的に読み取り、フィルタ処理等した電子情報としての画像データを生成する公知のスキャナであるとともに本発明における入力部であり、生成した画像データを主制御部１を介して原稿の頁毎に記憶部５に順次記憶する機能動作部である。
【００３６】
画像読取部３は、図２に示すように、複合機Ａの本体ケース１９の上部に配置されており、原稿から画像データを光学的に読み取るスキャナ部３ａと、これに搭載され原稿を自動的にスキャナ部３ａに給紙する自動給紙部３ｂを有している。図１では自動給紙部３ｂの図示を省略した。
【００３７】
自動給紙部３ｂには、これに原稿がセットされたことを検出する第１の指示入力部としての原稿セット検出部３ｃが配置されており、検出信号が第１の起動指示として主制御部１に出力するようになっている。
【００３８】
記憶部５は、主制御部１の制御の下、主制御部１の動作アプリケーションプログラム、複合機Ａを操作するための操作画面情報、画像読取部３やデータ送受信部１３からの画像データ、起動復帰テーブル等を記憶する読み書き可能な例えばハードディスク（ＨＤＤ）であり、何れのジョブ処理機能の実現にも利用可能になっている。
【００３９】
起動復帰テーブルは、図３に示すように、第１の起動指示が入力されたときに、いずれの機能動作部を起動させるかを対応させたテーブルであり、予め、装置の供給業者又は管理者が設定したものである。
【００４０】
記憶部５は、所定の区分、例えばユーザ毎の記憶領域（出力部）としてのＢＯＸ５ａが複数確保されてり、後述するように電子データが主制御部１を介してそれらＢＯＸ５ａに読み書き可能になっている。
【００４１】
操作パネル部７は、図２のように複合機Ａの本体ケース１９の上部に配置され、例えば液晶ディスプレイからなる表示部と、この表示部に重ねるようには配置されたボタンキーからなる入力部であり、主制御部１の制御の下、複合機Ａにおける動作状態や諸データを表示するとともに、後述するようにジョブ処理機能の起動指示を入力し、主制御部１に出力する機能を有している。
【００４２】
操作パネル部７は、例えば図４に示すように、印刷（コピー）処理機能、プリント処理機能、スキャナ処理機能、ファックス処理機能等の種々の処理機能操作指示や選択をする第２の指示入力部としての選択キー７ａ、それらの操作に係る設定や変更等を入力する入力部としてのテンキー７ｂ、スタートキー７ｃ、表示パネル部７ｄ等を有している。符号７ｅは操作パネル部７を復帰させる節電キーであり、第１の指示入力部として機能する。
【００４３】
印刷部９は、主制御部１の制御の下、図２に示すように、複数の給紙段９ａ、９ｂから選択的に印刷用紙を１次給紙し、搬送される印刷用紙を２次給紙する一方、主制御部１を介して指示された画像データを画像形成部９ｃで画像イメージデータに展開するとともにトナー画像を形成し、２次給紙された印刷用紙にそのトナー画像を転写させ、定着部９ｄで定着させて排紙部９ｅに排紙するモノクロ又はフルカラー印刷エンジンである。
【００４４】
給紙段９ａ、９ｂ以外にも手差しトレイ９ｆが配置されるとともに、手差しトレイ９ｆには用紙セットを検出する第１の指示入力部としての用紙セット検出部９ｇが配置されており、検出信号が印刷部９を介して主制御部１に出力されるようになっている。
【００４５】
図１のファクシミリ送受信部１１は、主制御部１の制御の下、公衆回線を介して外部ファクシミリ機器（何れも図示せず。）に接続され、所定のファクシミリ伝送プロトコルに従って、ファクシミリ信号を送受信するインターフェース部である。
【００４６】
すなわち、ファクシミリ送受信部１１は、外部ファクシミリ機器からファクシミリ信号を受信したとき、ファクシミリ信号を復号化して主制御部１に出力するとともに、主制御部１から外部ファクシミリ機器への送信ファクシミリ信号が出力されたとき、ファクシミリ信号を圧縮等して送信する機能を有するとともに出力部でもある。
【００４７】
データ送受信部１３は、主制御部１の制御の下、ネットワーク２１を介して外部の画像形成装置例えば複合機Ｂに接続されており、所定のデータ伝送プロトコルに従って、画像データ、電子メールその他を送受信するインターフェース部であるとともに出力部でもある。
【００４８】
省電力モード制御部１５は、主制御部１の制御の下、画像読取部３、記憶部５、操作パネル部７、印刷部９、ファクシミリ送受信部１１およびデータ送受信部１３に対して図示しない電源部からの電源供給を制限して省電力モードに移行制御するとともに、電源を供給して前記省電力モードから復帰制御する機能を有している。なお、操作パネル部７については、節電キー７ｅのみは動作するよう制御されている。
【００４９】
復帰制御部１７は、省電力モード制御部１５が省電力モードに移行制御した状体において、上述した第１の起動指示が入力されたとき、これに予め対応付けられたジョブ処理機能を省電力モードから復帰制御するよう省電力モード制御部１５を制御し、第２の起動指示が入力されたとき、これに予め対応付けられた機能動作を動作させる機能動作部を復帰制御するよう省電力モード制御部１５を制御する機能を有している。
【００５０】
例えば、復帰制御部１７は、自動給紙部３ｂに原稿がセットされてこれが原稿セット検出部３ｃによって検出されると、図４の起動復帰テーブルを参照し、第１の起動指示としてのその検出信号に基づき操作パネル部７およびスキャナ部３ａが省電力モードから通常モードに復帰するよう省電力モード制御部１５を制御し、通常モードに復帰した操作パネル部７から複写機能の起動指示が入力されると、印刷部９が省電力モードから通常モードに復帰するよう省電力モード制御部１５を制御する機能を有している。
【００５１】
主制御部１は、ＣＰＵ、このＣＰＵの起動プログラムを記憶したＲＯＭその他を有し、記憶部５に記憶されたアプリケーションプログラムによって画像読取部３、記憶部５、操作パネル部７、印刷部９、ファクシミリ送受信部１１、データ送受信部１３、省電力モード制御部１５および復帰制御部１７を制御してそれらの機能の一部を担っている。
【００５２】
次に、上述した本発明の省電力モード復帰制御装置の動作を画像形成装置の動作とともに図５および図６を参照して簡単に説明する。なお、図６は図５から連続するものであり、便宜上、図５および図６において操作パネル部は操作部と、画像読取部は読取部と、ファクシミリをＦＡＸと略す。
【００５３】
動作プログラムがスタートすると、図５のステップＳ１にて原稿がセットされたか否か原稿セット検出部３ｃが判別し、原稿がセットされてステップＳ１がＹＥＳであれば、ステップＳ２にて復帰制御部１７が操作パネル部７および画像読取部３（スキャナ部３ａ）を省電力モードから通常モードに復帰するよう省電力モード制御部１５を制御する。
【００５４】
原稿がセットされずにステップＳ１がＮＯであれば、ステップＳ３にて用紙セット検出部９ｇが用紙セットの有無を判別し、用紙がセットされてステップＳ３がＹＥＳであれば、ステップＳ４にて復帰制御部１７が操作パネル部７および印刷部９を省電力モードから通常モードに復帰するよう省電力モード制御部１５を制御する。
【００５５】
用紙のセットもなくてステップＳ３がＮＯであれば、ステップＳ５にて節電キー７ｅが押されたか判別し、ＮＯであればステップＳ１に戻り、操作されてステップＳ５がＹＥＳであれば、ステップＳ６にて復帰制御部１７が操作パネル部７を省電力モードから通常モードに復帰するよう省電力モード制御部１５を制御する。
【００５６】
このように、原稿のセット、用紙のセット又は節電キーの押下によって（第１の指示入力処理）、操作パネル部７等の一部の機能動作部が予め起動される（第１の復帰制御処理）。
【００５７】
図６はその後の動作を示すものである。
【００５８】
操作パネル部７が起動した状態で、ステップＳ７では復帰制御部１７がスキャナ処理機能の起動指示の有無を判別し、操作パネル部７からスキャナ処理機能が起動指示されてステップＳ７がＹＥＳであれば（第２の指示入力処理）、ステップＳ８にて復帰制御部１７が画像読取部３の省電力モード状態の有無を判別する。
【００５９】
画像読取部３が通常モードに復帰していてステップＳ８がＹＥＳあれば終了し、省電力モード状態であってステップＳ８がＮＯであれば、ステップＳ９にて復帰制御部１７が画像読取部３を省電力モード状態から通常モードに復帰するよう省電力モード制御部１５を制御して終了する（第２の復帰制御処理）。
【００６０】
操作パネル部７からスキャナ処理機能の起動指示がなされずにステップＳ７がＮＯであれば、ステップＳ１０にて復帰制御部１７が複写処理機能の起動指示がなされたか否か判別し、複写処理機能の起動指示がなされてステップＳ１０がＹＥＳであれば（第２の指示入力処理）、ステップＳ１１にて復帰制御部１７が画像読取部３の省電力モード状態を判別する。
【００６１】
画像読取部３が通常モードに復帰していてステップＳ１１がＹＥＳあればステップＳ１３に移り、省電力モード状態であってステップＳ１１がＮＯであれば、ステップＳ１２にて復帰制御部１７が画像読取部３を省電力モード状態から通常モードに復帰するよう省電力モード制御部１５を制御し（第２の復帰制御処理）、ステップＳ１３に移る。
【００６２】
ステップＳ１３では復帰制御部１７が印刷部９の省電力モード状態を判別し、印刷部９が通常モードに復帰していてステップＳ１３がＹＥＳであれば終了し、印刷部９が省電力モード状態であってステップＳ１３がＮＯであれば、ステップＳ１４にて復帰制御部１７が印刷部９の省電力モード状態を通常モードに復帰するよう省電力モード制御部１５を制御し（第２の復帰制御処理）、終了する。
【００６３】
操作パネル部７から複写処理機能の起動指示がなされずにステップＳ１０がＮＯであれば、ステップＳ１５にて復帰制御部１７がプリント処理機能の起動指示がなされたか否か判別し、プリント処理機能の起動指示がなされてステップＳ１５がＹＥＳであれば（第２の指示入力処理）、ステップＳ１６にて復帰制御部１７が印刷部９の省電力モード状態を判別する。
【００６４】
印刷部９が通常モードに復帰していてステップＳ１６がＹＥＳであれば終了し、印刷部９が省電力モード状態であってステップＳ１６がＮＯであれば、ステップＳ１７にて復帰制御部１７が印刷部９を省電力モード状態から通常モードに復帰するよう省電力モード制御部１５を制御し（第２の復帰制御処理）、終了する。
【００６５】
操作パネル部７からプリント処理機能の起動指示がなされずにステップＳ１５がＮＯであれば、ステップＳ１８にて復帰制御部１７がファクシミリ処理機能の起動指示がなされたか否か判別し、ファクシミリ処理機能の起動指示がなされてステップＳ１８がＹＥＳであれば（第２の指示入力処理）、ステップＳ１９にて復帰制御部１７が画像取込部３の省電力モード状態を判別する。
【００６６】
画像読取部３が通常モードに復帰していてステップＳ１９がＹＥＳであればステップＳ２１に移り、省電力モード状態であってステップＳ１９がＮＯであれば、ステップＳ２０にて復帰制御部１７が画像読取部３を省電力モード状態から通常モードに復帰するよう省電力モード制御部１５を制御し（第２の復帰制御処理）、ステップＳ２１に移る。
【００６７】
ステップＳ２１では復帰制御部１７がファクシミリ通信部１５を省電力モード状態から通常モードに復帰するよう省電力モード制御部１５を制御し（第２の復帰制御処理）、終了する。
【００６８】
ファクシミリ処理機能の起動指示がなされずにステップＳ１８がＮＯであれば、ステップＳ２２にて操作パネル部７からドキュメントのＢＯＸ処理機能の起動指示がなされたか否か判別され、その起動指示がなされずにステップＳ２２がＮＯであればステップＳ７に戻る。
【００６９】
ドキュメントのＢＯＸ処理機能の起動指示があってステップＳ２２がＹＥＳであれば（第２の指示入力処理）、ステップＳ２３にて復帰制御部１７が画像読取部３の省電力モード状態を判別する。
【００７０】
画像読取部３が通常モードに復帰していてステップＳ２３がＹＥＳあればステップＳ２５に移り、省電力モード状態であってステップＳ２３がＮＯであれば、ステップＳ２４にて復帰制御部１７が画像読取部３の省電力モード状態を通常モードに復帰するよう省電力モード制御部１５を制御し（第２の復帰制御処理）、ステップＳ２５に移る。
【００７１】
ステップＳ２５では復帰制御部１７が印刷部９の省電力モード状態を判別し、印刷部９が通常モードに復帰していてステップＳ２５がＹＥＳであれば終了し、印刷部９が省電力モード状態であってステップＳ２５がＮＯであれば、ステップＳ２６にて復帰制御部１７が印刷部９の省電力モード状態を通常モードに復帰するよう省電力モード制御部１５を制御し（第２の復帰制御処理）、終了する。
【００７２】
そして、これらの処理過程が本発明に係る省電力モード復帰制御方法に相当する。
【００７３】
このように本発明の省電力モード復帰制御装置は、複合機Ａが搭載するジョブ処理機能を実現するため動作する画像読取部３、記憶部５、操作パネル部７、印刷部９、ファクシミリ送受信部１１およびデータ送受信部１３（機能動作部）と、これらの機能動作部３〜１３に対する電源供給を制限して省電力モードに移行制御するとともに、電源を供給して省電力モードから通常モードに復帰制御する省電力モード制御部１５と、何れかの機能動作部３〜１３を省電力モードから復帰させる第１の起動指示を受け付ける原稿セット検出部３ｃ、用紙セット検出部９ａ（第１の指示入力部）と、その第１の起動指示３ｃ、９ａによって復帰させた機能動作部３〜１３に続き、それらジョブ処理機能を実現させる機能動作部３〜１３を省電力モードから復帰させる第２の起動指示を受け付ける操作パネル部７（第２の指示入力部）と、その第１の起動指示が入力されたとき、これに対応付けられた機能動作部を省電力モードから復帰するよう省電力モード制御部１５を制御し、その第２の起動指示が入力されたとき、これに対応付けられた機能動作を復帰するよう省電力モード制御部１５を制御する復帰制御部１７とを具備している。
【００７４】
そのため、まず必要な機能動作部３〜１３を予備的に起動させ、その後、個々のジョブ処理機能に応じた第２の起動指示を個別に入力させるのみで、該当する機能動作部３〜１３のみを起動させるから、種々の機能動作部を省電力モードから復帰させるとき、使用者の操作を減少させ、必要なジョブ処理機能に係る機能動作部のみ復帰させることが可能で、操作性を向上させることが容易である。
【００７５】
さらに、その第２の起動入力を操作パネル部７から入力するから、使用者が第２の起動入力を選択操作し易い。
【００７６】
しかも、ジョブ処理機能として、スキャナ処理機能、複写処理機能、プリント処理機能、ファクシミリ通信処理機能、データ記憶処理機能、電子メール通信処理機能又はこれらの組合せの何れにも対応可能で、任意の機能動作部の復帰が可能である。
【００７７】
上述した省電力モード復帰制御装置においては、第１の指示入力部として、スキャナ処理機能用の原稿セット検出部３ｃ、複写処理機能用の用紙セット検出部９ｇおよび節電キー７ｅ（電源投入検出部）とする構成であったが、本発明ではそれに限定されない。
【００７８】
すなわち、第１の指示入力部としては、プリント処理機能用のデータ入力検出部、ファクシミリ通信処理機能用の受信検出部、電子メール通信処理機能用の受信検出部又はこれらの組合せとする構成の可能である。
【００７９】
また、本発明の省電力モード復帰制御装置においては、第２の指示入力部として操作パネル部７を用い、それらスキャナ処理機能、複写処理機能、プリント処理機能、ファクシミリ通信処理機能、データ記憶処理機能、電子メール通信処理機能又はこれらの組合せを入力する構成であったが、本発明ではこれに限定されず、画像読取部３、記憶部５、操作パネル部７、印刷部９、ファクシミリ送受信部１１又はデータ送受信部１３の何れかから入力する構成も可能である。
【００８０】
また、その第１の起動指示に基づき少なくとも操作に係る機能動作部を復帰させるから、第１の起動指示によって復帰動作させた機能動作部に続く機能動作部を起動させる第２の起動指示を入力させ易い。
【００８１】
本発明に係る画像形成装置は、上述した省電力モード復帰制御装置と、原稿を自動給紙して表面の画像を光学的に読み取って電子画像データを取得する原稿読取部３と、読み取った画像データを印刷する印刷部９とを有して構成されており、同様に上述した効果を有する。
【００８２】
さらに、本発明の省電力モード復帰制御方法においても、上述した省電力モード復帰制御装置と同様の効果を得ることが可能である。
【符号の説明】
【００８３】
１  主制御部
３  画像読取部（機能動作部）
３ａ  スキャナ部
３ｂ  自動給紙部
３ｃ  原稿セット検出部（第１の指示入力部）
５  記憶部（機能動作部）
５ａ  ＢＯＸ
７  操作パネル部（機能動作部）
７ａ  選択キー（第２の指示入力部）
７ｂ  テンキー
７ｃ  スタートキー
７ｄ  表示パネル部（表示部）
７ｅ  節電キー（第１の指示入力部）
９  印刷部（機能動作部）
９ａ、９ｂ  給紙段
９ｃ  画像形成部
９ｄ  定着部
９ｅ  排紙部
９ｆ  手差しトレイ
９ｇ  用紙セット検出部（第１の指示入力部）
１１  ファクシミリ送受信部（ＦＡＸ送受信部、機能動作部）
１３  データ送受信部（機能動作部）
１５  省電力モード制御部
１７  復帰制御部
１９  本体ケース
２１  ネットワーク
Ａ、Ｂ  画像形成装置（複合機）
【図１】
2011029745.tif 000003
【図２】
2011029745.tif 000004
【図３】
2011029745.tif 000005
【図４】
2011029745.tif 000006
【図５】
2011029745.tif 000007
【図６】
2011029745.tif 000008